(57)【要約】【課題】ＰＯＳレジスタ装置における商品の表示技術に関し、同一商品の現在までの登録累計数を容易に把握可能とし、商品数量の確認ミスを減少させる。【解決手段】現在の売上取引において順次入力される商品識別情報と商品数量情報が商品明細情報として順次記憶される（Ｓ３０２）。最後に入力された商品識別情報をキーとして記憶されている商品明細情報が検索され、その商品識別情報と同じ商品識別情報を有する各商品明細情報の各商品数量情報が取得され（Ｓ３０３−２）、各商品数量情報の総和として登録累計数が算出される（Ｓ３０３−３）。記憶されている商品明細情報の一覧が表示されると共に（Ｓ３０３−１）、最後に入力された商品識別情報に対応する商品明細情報が登録累計数と共に強調表示される（Ｓ３０３−４）。【選択図】図３
2011008684.tif 000002
【特許請求の範囲】
【請求項１】
販売時点情報を入力する販売時点情報入力装置において、
現在の売上取引において順次入力される商品識別情報と商品数量情報を商品明細情報として順次記憶する商品明細情報記憶部と、
最後に入力された商品識別情報をキーとして前記商品明細情報記憶部を検索し、該入力された商品識別情報と同じ商品識別情報を有する各商品明細情報の各商品数量情報を取得し、該各商品数量情報の総和として登録累計数を算出する登録累計数算出部と、
前記最後に入力された商品識別情報に対応させて前記登録累計数を表示する登録累計数表示部と、
を含むことを特徴とするＰＯＳレジスタ装置。
【請求項２】
前記登録累計数表示部は、前記商品明細情報記憶部に記憶されている商品明細情報の一覧を表示すると共に、前記最後に入力された商品識別情報に対応する商品明細情報を前記登録累計数と共に強調表示する、
ことを特徴とする請求項１に記載のＰＯＳレジスタ装置。
【請求項３】
販売時点情報を入力する販売時点情報入力装置において、
現在の売上取引において順次入力される商品識別情報と商品数量情報を商品明細情報として順次記憶する商品明細情報記憶部と、
任意に選択された商品識別情報をキーとして前記商品明細情報記憶部を検索し、該選択された商品識別情報と同じ商品識別情報を有する各商品明細情報の各商品数量情報を取得し、該各商品数量情報の総和として登録累計数を算出する登録累計数算出部と、
前記選択された商品識別情報に対応させて前記登録累計数を表示する登録累計数表示部と、
を含むことを特徴とするＰＯＳレジスタ装置。
【請求項４】
前記登録累計数表示部は、前記商品明細情報記憶部に記憶されている商品明細情報の一覧を表示すると共に、前記選択された商品識別情報に対応する商品明細情報を前記登録累計数と共に強調表示する、
ことを特徴とする請求項３に記載のＰＯＳレジスタ装置。
【請求項５】
販売時点情報を入力する販売時点情報入力方法において、
現在の売上取引において順次入力される商品識別情報と商品数量情報を商品明細情報として順次記憶し、
最後に入力された商品識別情報をキーとして前記記憶されている商品明細情報を検索し、該入力された商品識別情報と同じ商品識別情報を有する各商品明細情報の各商品数量情報を取得し、該各商品数量情報の総和として登録累計数を算出し、
前記最後に入力された商品識別情報に対応させて前記登録累計数を表示する、
を含むことを特徴とするＰＯＳレジスタ装置における同一商品の登録累計数表示方法。
【請求項６】
前記登録累計数の表示において、前記記憶されている商品明細情報の一覧を表示すると共に、前記最後に入力された商品識別情報に対応する商品明細情報を前記登録累計数と共に強調表示する、
ことを特徴とする請求項５に記載のＰＯＳレジスタ装置における同一商品の登録累計数表示方法。
【請求項７】
販売時点情報を入力する販売時点情報入力方法において、
現在の売上取引において順次入力される商品識別情報と商品数量情報を商品明細情報として順次記憶し、
任意に選択された商品識別情報をキーとして前記記憶されている商品明細情報を検索し、該選択された商品識別情報と同じ商品識別情報を有する各商品明細情報の各商品数量情報を取得し、該各商品数量情報の総和として登録累計数を算出し、
前記選択された商品識別情報に対応させて前記登録累計数を表示する、
を含むことを特徴とするＰＯＳレジスタ装置における同一商品の登録累計数表示方法。
【請求項８】
前記登録累計数の表示において、前記記憶されている商品明細情報の一覧を表示すると共に、前記選択された商品識別情報に対応する商品明細情報を前記登録累計数と共に強調表示する、
ことを特徴とする請求項７に記載のＰＯＳレジスタ装置における同一商品の登録累計数表示方法。
【請求項９】
販売時点情報を入力するコンピュータに、
現在の売上取引において順次入力される商品識別情報と商品数量情報を商品明細情報として順次記憶し、
最後に入力された商品識別情報をキーとして前記記憶されている商品明細情報を検索し、該入力された商品識別情報と同じ商品識別情報を有する各商品明細情報の各商品数量情報を取得し、該各商品数量情報の総和として登録累計数を算出し、
前記最後に入力された商品識別情報に対応させて前記登録累計数を表示する、
ステップを実行させるためのプログラム。
【請求項１０】
前記登録累計数の表示において、前記記憶されている商品明細情報の一覧を表示すると共に、前記最後に入力された商品識別情報に対応する商品明細情報を前記登録累計数と共に強調表示する、
ことを特徴とする請求項９に記載のプログラム。
【請求項１１】
販売時点情報を入力するコンピュータに、
現在の売上取引において順次入力される商品識別情報と商品数量情報を商品明細情報として順次記憶し、
任意に選択された商品識別情報をキーとして前記記憶されている商品明細情報を検索し、該選択された商品識別情報と同じ商品識別情報を有する各商品明細情報の各商品数量情報を取得し、該各商品数量情報の総和として登録累計数を算出し、
前記選択された商品識別情報に対応させて前記登録累計数を表示する、
ステップを実行させるためのプログラム。
【請求項１２】
前記登録累計数の表示において、前記記憶されている商品明細情報の一覧を表示すると共に、前記選択された商品識別情報に対応する商品明細情報を前記登録累計数と共に強調表示する、
ことを特徴とする請求項１１に記載のプログラム。
【発明の詳細な説明】
【技術分野】
【０００１】
本発明は、ＰＯＳレジスタ装置における商品の表示技術に関する。
【背景技術】
【０００２】
小売店舗等において物品販売の売上実績を単品単位で集計する装置として、販売時点情報管理（ＰＯＳ：Ｐｏｉｎｔ  Ｏｆ  Ｓａｌｅ、以下「ＰＯＳ」と呼ぶ）システムが広く利用されている。
【０００３】
ＰＯＳシステムでは、商品名や価格、数量、日時などの販売実績情報が収集されることにより、商品の販売日、種類、価格、売上数を容易に把握することが可能となり、商品の経営分析が容易となる。
【０００４】
ＰＯＳシステムは主に、スーパーマーケットやコンビニエンスストア、外食産業（ファミリーレストラン、居酒屋等）、ガソリンスタンド、ホテル、ドラッグストア（薬局）などのチェーンストア等で導入される。
【０００５】
ＰＯＳシステムでは、バーコードなどによって商品にマーキングされた商品情報が、商品の購入時に、ＰＯＳレジスタやポータブルデータ端末に装備されたバーコードスキャナ装置やタッチパネル入力装置によって登録される。その後、その登録されたマーキング情報が、ストアサーバ又はストアコンピュータと呼ばれるコンピュータ（以下、「ストアサーバ」と呼ぶ）に送られ、そのストアサーバによって電子ジャーナルデータとして集計管理される。
【０００６】
ＰＯＳレジスタでは、例えばスーパーマーケットなどにおいて、一度に大量に購入され得る商品のマーキング情報が、バーコードスキャナ装置やタッチパネルキーボード装置によって次々に登録される。
【０００７】
ここで、販売員は、購入される商品の数量を、ＰＯＳレジスタのディスプレイ装置に表示される購入商品情報を見ながらその場で確認する必要がある場合が多い。また、スーパーマーケットなどでは、同一商品の特定個数の購入により値引きを行う等の特売商品企画が日単位、時間単位で設定されることが多い。この場合、販売員は、特売商品に関する商品の数量を、ＰＯＳレジスタのディスプレイに表示される購入商品情報を見ながらその場で確認する必要がある場合も多い。
【０００８】
スーパーなどでは、購入する商品の点数が多いため、カゴに入っている商品を次々に登録していると、同じ商品が何回かに分けてスキャンされ登録されるケースが多い。このようなケースにおいて販売員が商品の数量を確認する場合、従来は、販売員がＰＯＳレジスタのディスプレイに表示される現在の顧客に対応する商品登録情報の明細一覧を目視で確認しながら、特定の商品の数量を把握していた。
【先行技術文献】
【特許文献】
【０００９】
【特許文献１】特開平１０−２６９４６１号公報
【発明の概要】
【発明が解決しようとする課題】
【００１０】
ここで、スーパーマーケットなどに設置されるいわゆるレーンＰＯＳレジスタなどのように、顧客で混雑しやすい環境で急いで商品登録を行わなければならないような状況を想定する。このような状況下では、販売員がディスプレイ上で特定の商品の明細行を探し出してその数量を目視確認することは、たとえ数秒でも神経を使う煩雑な作業となる。従って、特に不慣れな販売員などにおいて、レジ作業の停滞を招くおそれがあるという問題点を有していた。
【００１１】
そこで、本発明の１つの側面では、同一商品の現在までの登録累計数を容易に把握可能とし、商品数量の確認ミスを減少させることを目的とする。
【課題を解決するための手段】
【００１２】
態様の一例では、販売時点情報を入力するＰＯＳレジスタ装置として実現され、以下の構成を有する。
商品明細情報記憶部は、現在の売上取引において順次入力される商品識別情報と商品数量情報を商品明細情報として順次記憶する。
【００１３】
登録累計数算出部は、最後に入力された又は任意に選択された商品識別情報をキーとして商品明細情報記憶部を検索し、その商品識別情報と同じ商品識別情報を有する各商品明細情報の各商品数量情報を取得し、それら各商品数量情報の総和として登録累計数を算出する。
【００１４】
登録累計数表示部は、最後に入力された又は任意に選択された商品識別情報に対応させて登録累計数を表示する。
【発明の効果】
【００１５】
本発明によれば、最後（最新）に登録された商品又は任意に選択された商品の、登録累計数(取引内での累計個数)を表示させることが可能になる。
これにより、レジ台や買い物カゴに残っている商品が登録済みか未登録かを判断しやすくして誤登録/誤請求を防止することが可能となる。
【００１６】
また、特売商品に関する商品の登録累計数なども、簡単に把握することが可能となる。
【図面の簡単な説明】
【００１７】
【図１】実施形態の全体システム構成である。
【図２】ＰＯＳレジスタとローカルデータベースを実現するハードウェア構成図である。
【図３】実施形態の制御動作を示す動作フローチャートである。
【図４】実施形態のデータ構成例を示す図である。
【図５】実施形態における商品登録画面の表示例を示す図である。
【発明を実施するための形態】
【００１８】
以下、本発明を実施するための形態について図面を参照しながら詳細に説明する。
図１は、ＰＯＳシステムの実施形態の全体構成図である。
実施形態のシステムは、店舗毎に設置されるストアシステム１０１と、本部システム１０２と、ストアシステム１０１及び本部システム１０２を接続するブロードバンドネットワーク１０３とから構成される。
【００１９】
ストアシステム１０１は、図１では例えば＃１〜＃５として示されるように各店舗に設置される。１つの本部システム１０２が収容可能なストアシステム１０１は、最大で１０程度である。
【００２０】
ストアシステム１０１には、レーンＰＯＳレジスタ１０４（＃１）及びそれに接続されるローカルデータベース１０５（＃１）、カウンタＰＯＳレジスタ１０４（＃２）及びそれに接続されるローカルデータベース１０５（＃２）、対面ＰＯＳレジスタ１０４（＃３）及びそれに接続されるローカルデータベース１０５（＃３）、ＳＣＯ  ＰＯＳレジスタ１０４（＃４）及びそれに接続されるローカルデータベース１０５（＃４）、マルチパッド端末１０６、クライアントパソコン１０７が設置される。
【００２１】
レーンＰＯＳレジスタ１０４（＃１）は、スーパーマーケットなどの商品精算レーンに設置されるＰＯＳレジスタである。カウンタＰＯＳレジスタ１０４（＃２）は、コンビニエンスストアなどの商品精算カウンタに設置されるＰＯＳレジスタである。対面ＰＯＳレジスタ１０４（＃３）は、カウンタＰＯＳレジスタ１０４（＃２）の機能に袋詰め機能も併せて備えたＰＯＳレジスタである。ＳＣＯ  ＰＯＳレジスタ１０４（＃４）は、顧客自身が商品登録から支払いまで行うことのできるセルフチェックアウト機能を備えたＰＯＳレジスタである。以下の説明では、これらの各種ＰＯＳレジスタを総称してＰＯＳレジスタ１０４と呼ぶ。ＰＯＳレジスタ１０４にはそれぞれ、商品マスタデータベースや売上データベースなどを含むローカルデータベース１０５が接続される。
【００２２】
マルチパッド端末１０６は、店舗管理者が、商品の価格チェック、価格変更、発注登録等を行うことができる。
クライアントパソコン１０７は、店舗管理者が、店舗の売上げを確認したり、商品の価格変更を把握したりすることができる。
【００２３】
各ＰＯＳレジスタ１０４及びクライアントパソコン１０７は、無線アクセスポイント１０８と無線接続され、ＬＡＮケーブル１１０、ルータ１０９、ブロードバンドネットワーク１０３を介して、本部システム１０２内の各店舗に対応したストアサーバ１１１と通信を行う。
【００２４】
本部システム１０２には、各店舗のストアシステム１０１に対向して、各店舗対応のストアサーバ１１１及びそれに接続されるストアデータベース１１２が設置される。各ストアサーバ１１１は、ＬＡＮケーブル１１５に接続されるルータ１１４、及びブロードバンドネットワーク１０３を介して、それぞれに対応するストアシステム１０１内の各ＰＯＳレジスタ１０４と通信する。なお、店舗対応のストアサーバ１１１及びそれに接続されるストアデータベース１１２は、図１の破線部分として示されるように、各ストアシステム１０１内に設置されてもよい。
【００２５】
以上のようにして、ストアシステム１０１内の各ＰＯＳレジスタ１０４とそのストアシステム１０１（店舗）に対応するストアサーバ１１１とが通信を行う。この結果、ストアシステム１０１内の各ＰＯＳレジスタ１０４において登録された商品の売上情報は、ほぼリアルタイム（数秒遅れ程度）で、そのストアシステム１０１（店舗）に対応したストアサーバ１１１に接続されるストアデータベース１１２に反映される。また、商品の価格情報等が変更されストアデータベース１１２内の商品マスタデータベース等が更新されると、その更新内容がほぼリアルタイムで、対応する店舗内の各ＰＯＳレジスタ１０４に接続される各ローカルデータベース１０５に反映される。このようにして、ストアシステム１０１内の各ＰＯＳレジスタ１０４に接続される各ローカルデータベース１０５と、そのストアシステム１０１（店舗）に対応したストアサーバ１１１に接続されるストアデータベース１１２は、常に同期が取られる。
【００２６】
本部システム１０２において、ＬＡＮケーブル１１５に接続される各種管理サーバ１１３は、クレジットカードの管理や、ＦＳＰ（Ｆｒｅｑｕｅｎｔ  Ｓｈｏｐｐｅｒｓ  Ｐｒｏｇｒａｍ）による顧客管理、ポイント管理、全店の商品管理、全店への速報管理などを個別に行うサーバである。各種管理サーバ１１３は、各店舗毎のストアサーバ１１１と通信を行って、各ストアデータベース１１２の登録内容（商品情報、ポイント情報、顧客情報等）を管理したり、各ストアシステム１０１内の各ＰＯＳレジスタ１０４に速報情報を通知したりする。
【００２７】
図２は、図１の各ＰＯＳレジスタ１０４とそれに接続されるローカルデータベース１０５を実現するハードウェア構成の一例を示す図である。
図２に示されるコンピュータは、ＣＰＵ２０１、メモリ２０２、外部記憶装置２０３、可搬記録媒体２０６が挿入される可搬記録媒体駆動装置２０５、及びネットワーク接続装置２０４を有し、これらがバス２１５によって相互に接続された構成を有する。
【００２８】
また、ＰＯＳレジスタ１０４独自の入力デバイスとして、キーボード２０７、タッチパネル電子多項目キーボード２０８、固定スキャナ２０９、タッチスキャナ２１０、磁気カードリーダ２１１、電子マネーリーダ２１２、ピンパッド２１３などが、バス２１５に接続される。キーボード２０７及びタッチパネル電子多項目キーボード２０８は、商品情報の登録などを行う。固定スキャナ２０９は、購入商品のバーコードをかざすことにより、購入商品のマーキング情報を読み取る。タッチスキャナ２１０は、固定スキャナ２０９と同じ機能を有するハンディタイプのスキャナである。磁気カードリーダ２１１は、クレジットカード情報や会員カード／ポイントカード情報を入力する。電子マネーリーダ２１２は、電子マネー情報を入力する。ピンパッド２１３は、クレジットカードなどの暗証番号をタイプ入力する。
【００２９】
更に、ＰＯＳレジスタ１０４独自の出力デバイスとして、商品登録情報を表示するディスプレイ２１４、レシートを印字するプリンタ２１５、及び自動釣銭札機２１６などが、バス２１５に接続される。
【００３０】
図２に示される構成は、図１の各ＰＯＳレジスタ１０４を実現できるコンピュータの一例であり、そのようなコンピュータはこの構成に限定されるものではない。
ＣＰＵ２０１は、ＰＯＳレジスタ１０４全体の制御を行う。メモリ２０２は、プログラムの実行、データ更新等の際に、外部記憶装置２０３（或いは可搬記録媒体２０６）に記憶されているプログラム又はデータを一時的に格納するＲＡＭ等のメモリである。ＣＰＵ２０１は、プログラムをメモリ２０２に読み出して実行することにより、ＰＯＳレジスタ１０４全体の制御を行う。
【００３１】
外部記憶装置２０３は、例えばハードディスク記憶装置である。主に各種データやプログラムの保存に用いられるほか、図１のローカルデータベース１０５を記憶する。
可搬記録媒体駆動装置２０５は、光ディスクやＳＤＲＡＭ、コンパクトフラッシュ（登録商標）等の可搬記録媒体２０６を収容するもので、外部記憶装置２０３の補助の役割を有する。
【００３２】
ネットワーク接続装置２０４は、図１の無線アクセスポイント１０８と通信を行うことのできる無線接続装置である。
以下に説明する本実施形態によるシステムは、それに必要な機能を搭載した制御プログラムをＣＰＵ２０１が実行することで実現される。そのプログラムは、例えば外部記憶装置２０３や可搬記録媒体２０６に記録して配布してもよく、或いはネットワーク接続装置２０４によりネットワークから取得できるようにしてもよい。ＣＰＵ２０１は、その制御プログラムに従って、２０７〜２１３の各入力デバイスを制御して、各入力デバイスからの商品登録情報等を入力する。また、ＣＰＵ２０１は、その制御プログラムに従って、２１４〜２１５の各出力デバイスを制御して、商品登録情報等を表示又は印字する。更に、ＣＰＵ２０１は、自動釣銭札機２１６を制御して、釣銭の自動払い出しを行う。加えて、ＣＰＵ２０１は、制御プログラムに従って、ネットワーク接続装置２０４を制御して、図１のストアサーバ１１１との通信を実行する。
【００３３】
以上の図１及び図２の構成を有する本実施形態の動作について、以下に詳細に説明する。
図３は、各ＰＯＳレジスタ１０４（図１）内のＣＰＵ２０１（図２）が、メモリ２０２に記憶された制御プログラムを実行する動作として実現される、商品情報登録時の制御動作を示す動作フローチャートである。
【００３４】
まず、図３（ａ）の動作フローチャートに対応する制御プログラムは、前の顧客のレシートがプリンタ２１５により印刷し終わり、次の顧客の商品が固定スキャナ２０９やタッチスキャナ２１０などによって読み取られると、動作を開始する。
【００３５】
購入商品の商品情報の登録は、図３（ａ）のステップＳ３０１からからＳ３０４までの繰返し処理によって行われる。
まず、商品登録が行われる（ステップＳ３０１）。商品登録は、ＪＡＮ（Ｊａｐａｎｓｅ  Ａｒｔｉｃｌｅ  Ｎｕｍｂｅｒ）コード等のスキャンコードの入力により行う。この入力操作は、図２の固定スキャナ２０９又はタッチスキャナ２１０による商品に貼付されたバーコードの読取り、キーボード２０７やタッチパネル電子多項目キーボード２０８によるコード又は短縮コードの手入力、ワンタッチキー入力等によって行われる。なお、この商品登録の前又は後に、キーボード２０７等から商品の数量を入力することが可能である。
【００３６】
次に、図１のＰＯＳレジスタ１０４に接続されるローカルデータベース１０５から、登録した商品の情報が取得されて、メモリ２０２上のワークエリアに格納される（ステップＳ３０２）。今、ローカルデータベース１０５には、図４に示されるデータ構成例を有する商品マスタデータベース（以下、「商品マスタＤＢ」と表す）４０１が記憶されている。この商品マスタＤＢ４０１には、スキャンコードをキーとする商品毎に、商品名、単価などの商品情報が登録されている。この商品マスタＤＢ４０１の登録内容は、図１のＰＯＳレジスタ１０４が属するストアシステム１０１に対応するストアサーバ１１１に接続されるストアデータベース１１２から、ほぼリアルタイムで更新されている。ステップＳ３０２では、ステップＳ３０１で入力されたスキャンコードをキーとして、商品マスタＤＢ４０１が検索される。そして、入力されたスキャンコードと同じスキャンコードを有するレコードに登録されている商品情報が、例えば図４の４０２に示されるデータ形式で、メモリ２０２上のワークエリア４０２に追加して登録される。このワークエリアにおいて、バーコードスキャン等による１回の商品登録は１明細＝１レコードとされて、明細レコードには、スキャンコード、登録商品の数量（明細内個数）、登録商品の合計額（明細合計額）、商品名等が登録される。スキャンコード及び商品名等は、商品マスタＤＢ４０１から取得されたものが登録される。明細内個数としては、ステップＳ３０１にて入力された数量が登録される。明細合計額としては、商品マスタＤＢ４０１から取得された単価に明細内個数を乗じて得られる額が登録される。
【００３７】
次に、図２のディスプレイ２１４に、登録した商品の情報が表示される（ステップＳ３０３）。図３（ｂ）は、ステップＳ３０３の更に詳細な動作を示す動作フローチャートである。
【００３８】
まず、メモリ２０２上のワークエリア４０２の登録内容が全て取得されて現在の取引明細の登録一覧が、ディスプレイ２１４に表示される（ステップＳ３０３−１）。
次に、ステップＳ３０１にて入力されたスキャンコードをキーとして、メモリ２０２上のワークエリア４０２が検索される。そして、入力されたスキャンコードと同じスキャンコードを有する各明細レコードに登録されている各明細内個数が取得される（ステップＳ３０３−２）。
【００３９】
そして、ステップＳ３０３−２にて取得された各明細内個数の総和として、登録累計数が算出される（ステップＳ３０３−３）。
最後に、ステップＳ３０１にて入力されたスキャンコードに対応する商品の明細情報が、ステップＳ３０３−３にて算出された登録累計数と共に、強調表示される（ステップＳ３０３−４）。
【００４０】
図５（ａ）は、以上の処理によってディスプレイ２１４に表示される商品登録画面の表示例を示す図である。この例では、現在＝４明細目でチョコレートに対応するスキャンコード「49000001」が入力され、数量１が入力されたとする。この場合まず、メモリ２０２上のワークエリア４０２の４明細目として、スキャンコード＝49000001、明細内個数＝１個、明細合計額＝２００円が登録される（ステップＳ３０２）。次に、スキャンコード「49000001」をキーとして図４（ｂ）に示されるメモリ２０２上のワークエリア４０２が検索される。この結果、１明細目の明細内個数＝１個と４明細目の明細内個数＝１個が取得される（ステップＳ３０３−２）。続いて、登録累計数＝１＋１＝２個が算出される（ステップＳ３０３−３）。この結果、図５（ａ）の５０１として示されるように、４明細目の明細として、商品名＝チョコレート、単価＝２００円、入力数＝１個、明細合計額＝単価２００円×１個＝２００円と共に、チョコレートの登録累計数＝（２個）が、強調表示される。
【００４１】
以上のようにして、登録した商品の表示（ステップＳ３０３）が完了すると、未登録商品があるか否かが判定される（ステップＳ３０４）。これは例えば、販売員が入力終了キーを押したか否かを判定する処理である。
【００４２】
ステップＳ３０４にて未登録商品があると判定された場合には、ステップＳ３０１の処理に戻って、新たな商品の登録処理が繰り返される。
ステップＳ３０４にて未登録商品がないと判定された場合には、メモリ２０２上のワークエリア４０２に登録されている商品の明細合計額の小計額が算出される（ステップＳ３０５）。
【００４３】
そして、ステップＳ３０５にて算出された小計額が、メモリ２０２上のワークエリア４０２の全登録情報と共に、図１のローカルデータベース１０５内の売上データベースに登録されて、支払い登録が完了する（ステップＳ３０６）。
【００４４】
最後に、メモリ２０２上のワークエリア４０２の登録内容が削除されて（ステップＳ３０７）、現在の顧客の売上取引が終了する。
以上の動作のメモリのワークエリアの登録内容削除（ステップＳ３０７）前の任意のタイミングにおいて、販売員が、ディスプレイ２１４上に表示されている商品登録情報の任意の明細行をタッチすると、前述した図３（ｂ）の動作フローチャートに対応する制御処理が実行される。これにより、タッチされた明細行に対応する商品を指定商品として、ステップＳ３０３−１からＳ３０３−４までの一連の処理が実行されて、タッチされた明細行に対応する商品に関する登録累計数が計算される。この結果、例えば図５（ｂ）の５０２として示されるように、計算された登録累計数と共に、タッチされた明細行が強調表示される。
【００４５】
以上のようにして、本実施形態では、最後（最新）に登録された商品又は任意にタッチ選択された商品の、登録累計数(取引内での累計個数)を表示させることが可能になる。これにより、レジ台や買い物カゴに残っている商品が登録済みか未登録かを判断しやすくして誤登録/誤請求を防止することが可能となる。また、特売商品に関する商品の登録累計数なども、簡単に把握することが可能となる。
【符号の説明】
【００４６】
１０１  ストアシステム
１０２  本部システム
１０３  ブロードバンドネットワーク
１０４  ＰＯＳレジスタ
１０４（＃１）  レーンＰＯＳレジスタ
１０４（＃２）  カウンタＰＯＳレジスタ
１０４（＃３）  対面ＰＯＳレジスタ
１０４（＃４）  ＳＣＯ  ＰＯＳレジスタ
１０５  ローカルデータベース
１０６  マルチパッド端末
１０７  クライアントパソコン
１０８  無線アクセスポイント
１０９、１１４  ルータ
１１０、１１５  ＬＡＮケーブル
１１１  ストアサーバ
１１２  ストアデータベース
１１３  各種管理サーバ
２０１  ＣＰＵ
２０２  メモリ
２０３  外部記憶装置
２０４  ネットワーク接続装置
２０５  可搬記録媒体駆動装置
２０６  可搬記録媒体
２０７  キーボード
２０８  タッチパネル電子多項目キーボード
２０９  固定スキャナ
２１０  タッチスキャナ
２１１  磁気カードリーダ
２１２  電子マネーリーダ
２１３  ピンパッド
２１４  ディスプレイ
２１５  プリンタ
２１６  自動釣銭札機
４０１  商品マスタＤＢ
４０２  メモリ上のワークエリア
【図１】
2011008684.tif 000003
【図２】
2011008684.tif 000004
【図３】
2011008684.tif 000005
【図４】
2011008684.tif 000006
【図５】
2011008684.tif 000007